(57)【要約】      （修正有）【課題】確実に組み立てられていない状態で宅配物が預けられることを防止することができる宅配ボックスを提供する。【解決手段】実施形態の一例である宅配ボックス１００は、組み立て状態から折り畳み状態に折り畳み可能な宅配ボックス１００であって、前面には扉４０が設けられ、扉４０はロック機構を備え、ロック機構によって、組み立て状態になるまでは扉４０が施錠され、組み立て状態では扉４０の位置が固定されると共に扉４０が開錠される。【選択図】図１
2020156818.tif 000002
【特許請求の範囲】
【請求項１】
組み立て状態から折り畳み状態に折り畳み可能な宅配ボックスであって、
前面には扉が設けられ、
前記扉はロック機構を備え、
前記ロック機構によって、前記組み立て状態になるまでは前記扉が施錠され、前記組み立て状態では前記扉の位置が固定されると共に前記扉が開錠される、宅配ボックス。
【請求項２】
前記ロック機構は、解除ハンドルを備え、
前記組み立て状態では、前記解除ハンドルの操作によって、前記扉の位置の固定が解除されると共に、前記扉が施錠される、
請求項１記載の宅配ボックス。
【発明の詳細な説明】
【技術分野】
【０００１】
本開示は、宅配ボックスに関する。
【背景技術】
【０００２】
宅配ボックスは、公知である。例えば、特許文献１には、折り畳み式宅配ボックスが開示される。折り畳み式宅配ボックスは、宅配業者が宅配物を預けるまでは、折り畳んで収納される。
【先行技術文献】
【特許文献】
【０００３】
【特許文献１】特表２０１８−５２５０３８号公報
【発明の概要】
【発明が解決しようとする課題】
【０００４】
折り畳み式宅配ボックスは、宅配業者が宅配物を預けるときに、宅配業者によって組み立てられる。このとき、折り畳み式宅配ボックスが確実に組み立てられていない状態で宅配物が預けられると、宅配物が盗難される、宅配物が雨にぬれる、または宅配物が破損するおそれがある。
【０００５】
本開示の目的は、確実に組み立てられていない状態で宅配物が預けられることを防止することができる宅配ボックスを提供することである。
【課題を解決するための手段】
【０００６】
本開示の一態様である折り畳み式宅配ボックスは、組み立て状態から折り畳み状態に折り畳み可能な宅配ボックスであって、前面には扉が設けられ、扉はロック機構を備え、ロック機構によって、組み立て状態になるまでは扉が施錠され、組み立て状態では扉の位置が固定されると共に扉が開錠される。
【発明の効果】
【０００７】
本開示の一態様によれば、確実に組み立てられていない状態で宅配物が預けられることを防止することができる宅配ボックスを提供することができる。
【図面の簡単な説明】
【０００８】
【図１】組み立て状態の宅配ボックスの構成を示す斜視図である。
【図２】折り畳み状態の宅配ボックスの構成を示す斜視図である。
【図３】分解した宅配ボックスを示す斜視図である。
【図４】宅配ボックスを組み立てるときの流れを示す模式図である。
【図５】宅配ボックスを折り畳むときの流れを示す模式図である。
【図６】ロック機構の構成を示す斜視図である。
【図７】宅配ボックスを組み立てるときのロック機構の動作を示す模式図である。
【図８】宅配ボックスを折り畳むときのロック機構の動作を示す模式図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の宅配ボックスはこれに限定されない。
【００１０】
以下、図面を用いて本開示の実施形態を説明する。以下で説明する形状、材料及び個数は、説明のための例示であって、宅配ボックスの仕様に応じて適宜変更することができる。以下ではすべての図面において同等の要素には同一の符号を付して説明する。また、本文中の説明においては、必要に応じてそれ以前に述べた符号を用いるものとする。
【００１１】
以下では、宅配ボックスが折り畳まれる方向を奥行き方向とする。扉が設けられる側を奥行き方向の前側とする。水平面において奥行き方向と直交する方向を幅方向とする。宅配ボックスの前面側に向かって右側を幅方向の右側とする。幅方向と奥行き方向とに直交する鉛直方向を高さ方向とする。
【００１２】
図１乃至図３を用いて、宅配ボックス１００の構成について説明する。図１は、組み立て状態の宅配ボックス１００の構成を表す斜視図である。図２は、折り畳み状態の宅配ボックス１００の構成を表す斜視図である。図３は、宅配ボックス１００の分解した状態を示す斜視図である。
【００１３】
宅配ボックス１００は、折り畳み可能である。宅配ボックス１００は、一戸建て住宅の玄関脇の壁面に設置されるが、これに限定されない。宅配ボックス１００は、例えば集合住宅等に設置されても良い。また、宅配ボックス１００は、例えば玄関脇の床面等に設置されても良い。
【００１４】
宅配ボックス１００は、宅配業者によって宅配物が預けられるまでは、折り畳まれた状態（折り畳み状態）となる。また、宅配ボックス１００は、宅配業者によって宅配物が届けられてからは、組み立てられた状態（組み立て状態）となる。
【００１５】
宅配ボックス１００は、本体カバー１０と、天板２０と、底板３０と、扉４０と、側板５０，６０と、を備える。側板５０は、第１側板５１と、第２側板５２と、を含む。側板６０は、第１側板６１と、第２側板６２と、を含む。
【００１６】
本体カバー１０は、前面が開口する箱形状に構成される。本体カバー１０は、カバー部１１と、フレーム１２と、一対のアーム１３，１３と、を備える。カバー部１１は、前面が開口する箱形状に構成される。カバー部１１は、上板１１Ａと、下板１１Ｂと、裏板１１Ｃと、側板１１Ｄ，１１Ｅと、を含む。カバー部１１は、例えば樹脂製である。
【００１７】
上板１１Ａの前端部には、天板２０がヒンジ固定される。下板１１Ｂの前端部には、底板３０がヒンジ固定される。裏板１１Ｃの内面の左端部には、第２側板５２がヒンジ固定される。裏板１１Ｃの内面の右端部には、第２側板６２がヒンジ固定される。
【００１８】
フレーム１２は、カバー部１１の開口部の前端面に沿って配置される。フレーム１２は、例えば金属製である。一対のアーム１３，１３は、本体カバー１０の幅方向の両端側にそれぞれ設けられる。一対のアーム１３，１３は、底板３０が下方に開かれたとき、底板３０が水平面に略平行な位置となるように支持する。アーム１３は、例えば金属製である。
【００１９】
天板２０は、本体カバー１０の前面に設けられる。天板２０は、例えば樹脂製である。天板２０は、上述したように、カバー部１１の上板１１Ａの前端部にヒンジ固定される。このような構成とすることで、天板２０は、本体カバー１０の前面の上側を覆った状態から上方に開かれる。
【００２０】
底板３０は、本体カバー１０の前面に設けられる。底板３０は、例えば樹脂製である。底板３０は、上述したように、カバー部１１の下板１１Ｂの前端部にヒンジ固定される。このような構成とすることで、底板３０は、本体カバー１０の前面の下側を覆った状態から下方に開かれる。底板３０は、上述したように、下方に開かれたときに水平面と略平行な位置にて一対のアーム１３，１３によって本体カバー１０に支持される。
【００２１】
底板３０の内面には、底板カバー３２が設けられる。底板カバー３２上には、一対のレール３４，３４が設けられる。一対のレール３４，３４は、底板３０の奥行き方向に沿って設けられる。
【００２２】
扉４０は、折り畳み状態では本体カバー１０に収納される。扉４０は、扉本体４１と、フレーム４２と、施錠装置４３と、摺動部４４と、一対のロック機構７０，７０と、を備える。扉本体４１は、フレーム４２の右端部にヒンジ固定される。扉本体４１は、例えば樹脂製である。
【００２３】
フレーム４２は、扉４０の四方を囲むように形成される。フレーム４２の左端部は、第２側板５２にヒンジ固定される。フレーム４２の右端部は、第２側板６２にヒンジ固定される。フレーム４２は、例えば樹脂製である。施錠装置４３は、扉本体４１をフレーム４２に施錠または開錠する装置である。ロック機構７０の詳細は、後述する。
【００２４】
側板５０は、折り畳み状態では本体カバー１０に折り畳んで収納される。側板５０は、上述したように、第１側板５１と、第２側板５２と、を含む。第１側板５１および第２側板５２は、幅方向から見て略同一の長方形状に形成される。第１側板５１および第２側板５２は、例えば樹脂で形成される。
【００２５】
側板５０の第１側板５１の前端部は、扉４０のフレーム４２の左端部にヒンジ固定される。第１側板５１の後端部は、第２側板５２の前端部にヒンジ固定される。側板５０の第２側板５２の後端部は、本体カバー１０を構成するカバー部１１の裏板１１Ｃの内面の左端部にヒンジ固定される。このような構成とすることで、側板５０は、宅配ボックス１００の内側に折り曲げられる。
【００２６】
側板６０は、折り畳み状態では本体カバー１０に折り畳んで収納される。側板６０は、上述したように、第１側板６１と、第２側板６２と、を含む。第１側板６１および第２側板６２は、略同一の長方形状に形成される。第１側板６１および第２側板６２は、例えば樹脂で形成される。
【００２７】
側板６０の第１側板６１の前端部は、扉４０のフレーム４２の右端部にヒンジ固定される。第１側板６１の後端部は、第２側板６２の前端部にヒンジ固定される。側板６０の第２側板６２の後端部は、本体カバー１０を構成するカバー部１１の裏板１１Ｃの内面の右端部にヒンジ固定される。このような構成とすることで、側板６０は、宅配ボックス１００の内側に折り曲げられる。
【００２８】
次に、図４を用いて、宅配ボックス１００を組み立てるときの動作について説明する。図４は、宅配ボックス１００を組み立てるときの動作を示す模式図である。
【００２９】
宅配ボックス１００は、上述したように、宅配業者によって宅配物が預けられるときに、宅配業者によって組み立てられる。以下に、宅配ボックス１００の折り畳み状態から組み立て状態までをステップ毎に説明する。
【００３０】
ステップＳ１０において、宅配ボックス１００は、折り畳み状態として折り畳まれている。このとき、扉４０および側板５０，６０は、折り畳まれて本体カバー１０に収納されている。また、本体カバー１０では、天板２０と底板３０とが閉じられている。
【００３１】
ステップＳ２０において、宅配業者によって、本体カバー１０から天板２０が上方に開けられる。天板２０は、水平面と略平行な位置まで開けられる。このとき、天板２０を支持するものがないため、宅配業者によって、天板２０が支持される。
【００３２】
ステップＳ３０において、宅配業者によって、本体カバー１０から底板３０が下方に開けられる。底板３０は、水平面と略平行な位置まで開けられる。このとき、底板３０は、アーム１３によって本体カバー１０に支持される。
【００３３】
ステップＳ４０において、宅配業者によって、扉４０が本体カバー１０から引き出される。このとき、扉４０のフレーム４２に設けられた一対の摺動部４４，４４が底板３０のレール３４，３４を摺動する。扉４０が前方へ引き出されることによって、扉４０に追従するように、折り畳まれて収納されていた第１側板５１および第２側板５２が開かれて、宅配ボックス１００の側面を構成する。第１側板６１および第２側板６２も同様である。
【００３４】
次に、図５を用いて、宅配ボックス１００を折り畳むときの動作について説明する。図５は、宅配ボックス１００を折り畳むときの動作を示す模式図である。
【００３５】
宅配ボックス１００は、ユーザによって宅配物が取り出された後に、ユーザによって折り畳まれる。以下に、宅配ボックス１００の組み立て状態から折り畳み状態までをステップ毎に説明する。
【００３６】
ステップＳ５０において、宅配ボックス１００は、組み立て状態として組み立てられた状態である。このとき、宅配ボックス１００は、扉４０と、側板５０と、側板６０と、本体カバー１０と、天板２０と、底板３０と、から構成される筐体として構成される。
【００３７】
ステップＳ６０において、ユーザによって、扉４０が本体カバー１０に押し戻される。このとき、扉４０のフレーム４２に設けられた摺動部４４，４４が底板３０のレール３４，３４を摺動する。扉４０が後方へ押し戻されることによって、扉４０に追従するように、宅配ボックス１００の側面を構成していた第１側板５１および第２側板５２が折り畳まれる。
【００３８】
ステップＳ７０において、ユーザによって、底板３０が上方に閉じられる。底板３０は、本体カバー１０の前面の下側を覆うように閉じられる。
【００３９】
ステップＳ８０において、ユーザによって、天板２０が下方に閉じられる。天板２０は、本体カバー１０の前面の上側を覆うように閉じられる。ステップＳ８０では、折り畳み状態としてのステップＳ１０と同様に、宅配ボックス１００は、折り畳み状態となる。
【００４０】
宅配ボックス１００の効果について説明する。宅配ボックス１００によれば、宅配業者によって宅配物が預けられるまでは、折り畳むことによってコンパクトに設置することができる。
【００４１】
宅配ボックス１００によれば、宅配業者によって宅配物が預けられるまでは、折り畳むことによって、外観上のシンプルな構成を実現することができるため、意匠性を向上することができる。
【００４２】
宅配ボックス１００によれば、宅配業者によって宅配物が預けられた後は、組み立てられることによって外観上の形状が大きくなり、宅配物が預けられたことが分かり易い。
【００４３】
宅配ボックス１００によれば、天板２０に折り畳み状態の宅配ボックス１００の上扉の機能を持たせ、底板３０を折り畳み状態の宅配ボックス１００の下扉の機能を持たせることによって、部品点数を削減し、部品コストの削減することができる。また、部品点数を削減することによって軽量化することができる。
【００４４】
宅配ボックス１００によれば、本体カバー１０のカバー部１１、天板２０、底板３０、扉４０および側板５０，６０を樹脂製とすることによって、軽量化することができる。
【００４５】
宅配ボックス１００によれば、本体カバー１０のカバー部１１、天板２０、底板３０、扉４０および側板５０，６０を樹脂製とすることによって、これらの部材を軽量化し、折り畳むまたは組み立てる動作をスムーズにすることができる。
【００４６】
次に、図６を用いて、ロック機構７０の構成について説明する。図６は、ロック機構７０の構成を示す斜視図である。図６では、説明を分かり易くするため、フレーム４２を除いた扉４０および底板３０のみを示す。
【００４７】
扉４０の幅方向の両端側には、一対のロック機構７０，７０が設けられる。以下では、左端側のロック機構７０と右端側のロック機構７０とが同様の構成であるため、左端側のロック機構７０について説明する。ロック機構７０は、解除ハンドル７１と、回転板７２と、一対のレバー７３，７３と、一対の固定ピン７４，７４と、一対の扉固定板７５，７５と、弾性部材７６（右端側のロック機構７０を参照）と、を含む。
【００４８】
ロック機構７０は、宅配ボックス１００が組み立て状態になるまでは、扉４０を施錠し、組み立て状態の宅配ボックス１００では、扉４０の位置を固定すると共に扉４０を開錠する機能を有する。
【００４９】
ロック機構７０のうち解除ハンドル７１は、扉４０のフレーム４２の左側板の外側に設けられる。ロック機構７０のうち回転板７２、一対のレバー７３、７３、一対の固定ピン７４，７４、一対の扉固定板７５，７５および弾性部材７６は、扉４０のフレーム４２の左側板の内側に設けられる。
【００５０】
解除ハンドル７１の操作によって、宅配ボックス１００が組み立て状態では、扉４０の位置の固定が解除されると共に扉４０が施錠される。解除ハンドル７１は、幅方向を軸として回動可能に構成される。解除ハンドル７１は、回転板７２の回動と同期するように構成される。
【００５１】
回転板７２は、幅方向から見て略長円形状に形成される。回転板７２は、幅方向を軸として回動可能に構成される。回転板７２の前端部には、上側のレバー７３の下端部が軸支される。回転板７２の後端部には、下側のレバー７３の上端部が軸支される。
【００５２】
上側のレバー７３は、幅方向から見て長尺形状に形成される。上側のレバー７３の高さ方向の略中央部には、扉固定板７５が設けられる。上側のレバー７３の上端側には、固定ピン７４が設けられる。
【００５３】
下側のレバー７３は、幅方向から見て途中で屈折した長尺形状に形成される。下側のレバー７３の高さ方向の略中央部には、扉固定板７５が設けられる。下側のレバー７３の高さ方向の略中央部は、弾性部材７６によって支持される。下側のレバー７３の下端側には、固定ピン７４が設けられる。
【００５４】
上側の固定ピン７４は、略円柱形状に形成される。上側の固定ピン７４は、フレーム４２の天井板に開口された穴部を貫通するように設けられる。下側の固定ピン７４は、略円柱形状に形成される。下側の固定ピン７４は、フレーム４２の底板に開口された穴部を貫通するように設けられる。扉固定板７５は、高さ方向から見て略Ｌ字形状に形成される。
【００５５】
弾性部材７６は、フレーム４２と下側のレバー７３との間に設けられる。弾性部材７６は、下側のレバー７３を下向きに付勢する。弾性部材７６は、例えばバネ等である。
【００５６】
以上、一対のロック機構７０のうちの左端側のロック機構７０について説明した。右端側のロック機構７０については、左端側のロック機構７０から一対の扉固定板７５、７５を除いたものである。
【００５７】
底板３０は、底板本体３１と、底板カバー３２と、を含む。底板カバー３２は、底板本体３１の内面に設けられる。底板カバー３２の幅方向の両端部には、奥行き方向に沿って一対の溝部３２Ｂ，３２Ｂが形成される。溝部３２Ｂ上には、ロック機構７０の固定ピン７４が摺動する。溝部３２Ｂの前端位置は、底板本体３１の前端位置よりも若干後方に位置する。溝部３２Ｂの前側において露出する底板本体３１の内面を落ち込み部３１Ａとする。ここで、「内面」とは、組み立て状態の宅配ボックス１００において内部を向く面とする。
【００５８】
扉４０の扉本体４１の左側面には、一対の開口部４１Ａ，４１Ａが形成される。開口部４１Ａは、扉本体４１の後端部から切り欠かれる。上側の開口部４１Ａは、ロック機構７０の上側の扉固定板７５と略同一位置に形成される。下側の開口部４１Ａは、ロック機構７０の下側の扉固定板７５と略同一位置に形成される。
【００５９】
開口部４１Ａは、幅方向から見て略長方形形状に形成される。上側の開口部４１Ａの前端部かつ下側には、高さ方向に平行なスリット４１Ｂが形成される。下側の開口部４１Ａの前端部かつ上側には、高さ方向に平行なスリット４１Ｂが形成される。
【００６０】
次に、図７および図８を用いて、ロック機構７０の動作について説明する。図７は、宅配ボックス１００を組み立てるときのロック機構７０の動作を示す模式図である。図８は、宅配ボックス１００を折り畳むときのロック機構７０の動作を示す模式図である。
【００６１】
以下では、左端側のロック機構７０と右端側のロック機構７０とが同様の動作であるため、左端側のロック機構７０の動作について説明する。さらに、以下では、左端側のロック機構７０のうち下側と上側との動作が同様であるため、下側の動作のみについて説明する。
【００６２】
まず、図７を用いて、宅配ボックス１００を組み立てるときのロック機構７０の動作について説明する。ステップＳ３５では、宅配業者によって、扉４０が前方へ引き出される途中である。
【００６３】
ステップＳ３５において、ロック機構７０では、弾性部材７６によってレバー７３が下方へ付勢されて、固定ピン７４が下方へ付勢される。固定ピン７４が下方へ付勢されることによって、固定ピン７４が底板カバー３２の溝部３２Ｂに当接する。溝部３２Ｂが平坦に形成されるため、固定ピン７４が溝部３２Ｂを摺動する。
【００６４】
ステップＳ３５において、ロック機構７０では、固定ピン７４が溝部３２Ｂを摺動する間は、レバー７３が弾性部材７６の付勢に逆らって上方に移動して、扉固定板７５がスリット４１Ｂに係合する。扉固定板７５がスリット４１Ｂに係合することによって、扉本体４１がフレーム４２に固定される。すなわち、扉４０は、施錠された状態である。
【００６５】
ステップＳ４０では、宅配業者によって、扉４０が最前方まで引き出される。ここで、「最前方」とは、扉４０が底板３０の前端部に位置するときである。
【００６６】
ステップＳ４０において、ロック機構７０では、固定ピン７４が底板カバー３２の溝部３２Ｂから底板本体３１の落ち込み部３１Ａに落ち込む。このとき、溝部３２Ａの前端部によって、固定ピン７４の後方への摺動が規制される。すなわち、扉４０が底板３０の前端部にて固定される。
【００６７】
ステップＳ４０において、ロック機構７０では、弾性部材７６の付勢力により固定ピン７４が底板本体３１の落ち込み部３１Ａに落ち込むことによって、レバー７３が下方に移動する。レバー７３が下方に移動することによって、扉固定板７５がスリット４１Ｂから開口部４１Ａに移動する。これにより、扉本体４１がフレーム４２から解放可能になる。すなわち、扉４０が開錠される。
【００６８】
次に、図８を用いて、宅配ボックス１００を折り畳むときのロック機構７０の動作について説明する。ステップＳ６０では、ユーザによって、解除ハンドル７１が回動され、扉４０が後方に押し戻される。
【００６９】
ステップＳ６０において、ロック機構７０では、解除ハンドル７１が回動されることによって、回転板７２が解除ハンドル７１に同期して回動して、レバー７３が上方へ移動する。レバー７３が上方へ移動することによって、固定ピン７４が上方へ移動する。このとき、扉４０が押し戻されることによって、固定ピン７４が底板カバー３２の溝部３２Ｂに乗り上げる。固定ピン７４が溝部３２Ｂに乗り上げることによって、固定ピン７４が溝部３２Ｂ上を摺動可能な状態となる。すなわち、扉４０の底板３０の前端部での固定が解除される。
【００７０】
ステップＳ６０において、ロック機構７０では、レバー７３が上方へ移動することによって、扉固定板７５が開口部４１Ａからスリット４１Ｂに係合する。これにより、扉本体４１がフレーム４２に固定される。すなわち、扉４０が施錠される。
【００７１】
ステップＳ６５では、ユーザによって、扉４０が後方に押し戻される途中である。
【００７２】
ステップＳ６５において、ロック機構７０では、固定ピン７４が下方へ付勢されることによって、固定ピン７４が底板カバー３２の溝部３２Ｂに当接する。溝部３２Ｂの前後方向が平坦に形成されるため、固定ピン７４が溝部３２Ｂを摺動する。
【００７３】
ステップＳ６５において、ロック機構７０では、扉固定板７５がスリット４１Ｂに係合することによって、扉本体４１がフレーム４２に固定される。すなわち、扉４０が施錠された状態である。
【００７４】
ロック機構７０の効果について説明する。ロック機構７０によれば、確実に組み立てられていない状態で宅配物が預けられることを防止することができる。すなわち、扉４０が底板３０の最前方まで引き出されるまで扉本体４１が施錠されるため、確実に組み立てられていない状態で宅配物が預けられることはない。
【００７５】
また、扉４０が底板３０の最前方まで引き出されたときに、扉４０の位置が固定されるため、確実に組み立てられていない状態で宅配物が預けられることはない。
【００７６】
さらに、解除ハンドル７１を回動させることによって、扉４０の位置の固定を解除するため、ユーザが無理な力で宅配ボックス１００を折り畳むことを防止することができる。
【符号の説明】
【００７７】
１０  本体カバー、２０  天板、３０  底板、４０  扉、５０  側板、６０  側板、７０  ロック機構、７１  解除ハンドル、１００  宅配ボックス  
【図１】
2020156818.tif 000003
【図２】
2020156818.tif 000004
【図３】
2020156818.tif 000005
【図４】
2020156818.tif 000006
【図５】
2020156818.tif 000007
【図６】
2020156818.tif 000008
【図７】
2020156818.tif 000009
【図８】
2020156818.tif 000010